(57)【要約】【課題】操作性を向上した「スクロール表示装置」を提供する。【解決手段】まず、固定ＦＦスクロールモードを設定し、その後、スクロール速度がしきい値ThAを超えると、移動ＦＦスクロールモードを設定する。固定スクロールモードでは、フォーカスフレーム３００を、表示されている中央のアイテムの位置に固定的に配置した状態でスクロールを行う。移動ＦＦスクロールモードでは、フォーカスフレーム３００がスクロール操作方向側端のアイテムの位置に無い場合にはスクロール操作に応じてフォーカスフレーム３００を移動し、他の場合には表示範囲を移動する。【選択図】図７
2011118805.tif 000002
【特許請求の範囲】
【請求項１】
複数のアイテムを配列したリストをスクロール表示するスクロール表示装置であって、
スクロールモードとして第１のスクロールモードが設定されているときに、前記リスト上に複数のアイテムを含むように表示範囲を設定して、前記リストの前記当該表示範囲に含まれる部分である部分リストを表示すると共に、部分リストの表示上の中央のアイテムの位置にフォーカスフレームを固定的に表示し、ユーザのスクロール操作に応じて当該表示範囲を前記リスト上で、ユーザのスクロール操作方向に、ユーザのスクロール操作量に応じたスクロール速度で移動させる第１スクロール表示部と、
スクロールモードとして第２のスクロールモードが設定されているときに、前記リスト上に複数のアイテムを含むように表示範囲を設定して、前記リストの前記当該表示範囲に含まれる部分である部分リストを表示すると共に、部分リストの表示上にフォーカスフレームを表示し、ユーザのスクロール操作に応じて、前記フォーカスフレームが前記部分リストの表示上の前記スクロール操作方向側端部のアイテムの位置に無い場合には、前記部分リストの表示上で前記フォーカスフレームをユーザのスクロール操作方向に、ユーザのスクロール操作量に応じたスクロール速度で移動し、前記フォーカスフレームが前記部分リストの表示上の前記スクロール操作方向側端部のアイテムの位置にある場合には、前記表示範囲を前記リスト上で、ユーザのスクロール操作方向に、ユーザのスクロール操作量に応じたスクロール速度で移動させる第２スクロール表示部と、
スクロールモードとして、前記第１のスクロールモードと第２のスクロールモードとの一方を選択的に設定するスクロールモード制御部とを有し、
前記スクロールモード制御部は、前記スクロール表示の開始時に前記スクロールモードとして前記第１のスクロールモードを設定し、前記スクロールモードとして前記第１のスクロールモードを設定しているときに、前記スクロール速度が所定のレベルを超えたときに、前記スクロールモードとして前記第２のスクロールモードを設定し、前記スクロールモードとして前記第２のスクロールモードを設定しているときに、第１の時間長の期間ユーザのスクロール操作入力が無かった場合に、スクロールモードとして前記第１のスクロールモードを設定することを特徴とするスクロール表示装置。
【請求項２】
請求項１記載のスクロール表示装置であって、
スクロールモードとして第３のスクロールモードが設定されているときに、前記リスト上に複数のアイテムを含むように表示範囲を設定して、前記リストの前記当該表示範囲に含まれる部分である部分リストを表示すると共に、前記フォーカスフレームを表示しない形態で、ユーザのスクロール操作に応じて当該表示範囲を前記リスト上で、ユーザのスクロール操作方向に、ユーザのスクロール操作量に応じたスクロール速度で移動させる第３スクロール表示部を備え、
前記スクロールモード制御部は、前記スクロールモードとして前記第２のスクロールモードを設定しているときに、前記スクロール速度が予め定めたレベルを超えており、かつ、前記フォーカスフレームが前記部分リストの表示上の前記スクロール操作方向側端部のアイテムの位置にある状態が、第２の時間長の期間継続した場合に、前記スクロールモードとして前記第３のスクロールモードを設定し、前記スクロールモードとして前記第３のスクロールモードを設定しているときに、前記スクロール速度が前記予め定めたレベル以下となった場合に、前記第２のスクロールモードを設定することを特徴とするスクロール表示装置。
【請求項３】
請求項２記載のスクロール表示装置であって、
前記スクロールモード制御部は、前記スクロールモードを前記第３のスクロールモードから前記第２のスクロールモードに切り替え直後の前記フォーカスフレームの位置を、前記部分リストの表示上の前記スクロール操作方向側端部のアイテムの位置とすることを特徴とするスクロール表示装置。
【請求項４】
請求項１記載のスクロール表示装置であって、
前記スクロールモード制御部は、前記スクロールモードを前記第２のスクロールモードから前記第１のスクロールモードに切り替える際に、前記第２のスクロールモードにおいて最後にフォーカスフレームが位置していたアイテムが、部分リストの中央の位置となるように、前記表示範囲を前記リスト上で移動することを特徴とするスクロール表示装置。
【請求項５】
請求項２記載のスクロール表示装置であって、
前記スクロールモード制御部は、前記スクロールモードを前記第２のスクロールモードから前記第１のスクロールモードに切り替える際に、前記第２のスクロールモードにおいて最後にフォーカスフレームが位置していたアイテムが、部分リストの中央の位置となるように、前記表示範囲を前記リスト上で移動することを特徴とするスクロール表示装置。
【請求項６】
請求項３記載のスクロール表示装置であって、
前記スクロールモード制御部は、前記スクロールモードを前記第２のスクロールモードから前記第１のスクロールモードに切り替える際に、前記第２のスクロールモードにおいて最後にフォーカスフレームが位置していたアイテムが、部分リストの中央の位置となるように、前記表示範囲を前記リスト上で移動することを特徴とするスクロール表示装置。
【請求項７】
請求項１記載のスクロール表示装置であって、
前記第１のスクロールモードにおいて、前記表示範囲を、当該表示範囲に含まれるアイテムの数が、他のスクロールモードにおいて前記表示範囲に含まれるアイテムの数よりも少なくなるように設定することを特徴とするスクロール表示装置。
【請求項８】
請求項２記載のスクロール表示装置であって、
前記第１のスクロールモードにおいて、前記表示範囲を、当該表示範囲に含まれるアイテムの数が、他のスクロールモードにおいて前記表示範囲に含まれるアイテムの数よりも少なくなるように設定することを特徴とするスクロール表示装置。
【請求項９】
請求項３記載のスクロール表示装置であって、
前記第１のスクロールモードにおいて、前記表示範囲を、当該表示範囲に含まれるアイテムの数が、他のスクロールモードにおいて前記表示範囲に含まれるアイテムの数よりも少なくなるように設定することを特徴とするスクロール表示装置。
【請求項１０】
請求項４記載のスクロール表示装置であって、
前記第１のスクロールモードにおいて、前記表示範囲を、当該表示範囲に含まれるアイテムの数が、他のスクロールモードにおいて前記表示範囲に含まれるアイテムの数よりも少なくなるように設定することを特徴とするスクロール表示装置。
【請求項１１】
コンピュータによって読みとられ実行されるコンピュータプログラムであって、
当該コンピュータプログラムは、前記コンピュータを、
複数のアイテムを配列したリストをスクロール表示するスクロール表示装置として機能させ、
当該スクロール表示装置は、
スクロールモードとして第１のスクロールモードが設定されているときに、前記リスト上に複数のアイテムを含むように表示範囲を設定して、前記リストの前記当該表示範囲に含まれる部分である部分リストを表示すると共に、部分リストの表示上の中央のアイテムの位置にフォーカスフレームを固定的に表示し、ユーザのスクロール操作に応じて当該表示範囲を前記リスト上で、ユーザのスクロール操作方向に、ユーザのスクロール操作量に応じたスクロール速度で移動させる第１スクロール表示部と、
スクロールモードとして第２のスクロールモードが設定されているときに、前記リスト上に複数のアイテムを含むように表示範囲を設定して、前記リストの前記当該表示範囲に含まれる部分である部分リストを表示すると共に、部分リストの表示上にフォーカスフレームを表示し、ユーザのスクロール操作に応じて、前記フォーカスフレームが前記部分リストの表示上の前記スクロール操作方向側端部のアイテムの位置に無い場合には、前記部分リストの表示上で前記フォーカスフレームをユーザのスクロール操作方向に、ユーザのスクロール操作量に応じたスクロール速度で移動し、前記フォーカスフレームが前記部分リストの表示上の前記スクロール操作方向側端部のアイテムの位置にある場合には、前記表示範囲を前記リスト上で、ユーザのスクロール操作方向に、ユーザのスクロール操作量に応じたスクロール速度で移動させる第２スクロール表示部と、
スクロールモードとして、前記第１のスクロールモードと第２のスクロールモードとの一方を選択的に設定するスクロールモード制御部とを有し、
前記スクロールモード制御部は、前記スクロール表示の開始時に前記スクロールモードとして前記第１のスクロールモードを設定し、前記スクロールモードとして前記第１のスクロールモードを設定しているときに、前記スクロール速度が所定のレベルを超えたときに、前記スクロールモードとして前記第２のスクロールモードを設定し、前記スクロールモードとして前記第２のスクロールモードを設定しているときに、第１の時間長の期間ユーザのスクロール操作入力が無かった場合に、スクロールモードとして前記第１のスクロールモードを設定することを特徴とするコンピュータプログラム。
【請求項１２】
請求項１１記載のコンピュータプログラムであって、
前記スクロール表示装置は、
スクロールモードとして第３のスクロールモードが設定されているときに、前記リスト上に複数のアイテムを含むように表示範囲を設定して、前記リストの前記当該表示範囲に含まれる部分である部分リストを表示すると共に、前記フォーカスフレームを表示しない形態で、ユーザのスクロール操作に応じて当該表示範囲を前記リスト上で、ユーザのスクロール操作方向に、ユーザのスクロール操作量に応じたスクロール速度で移動させる第３スクロール表示部を備え、
前記スクロールモード制御部は、前記スクロールモードとして前記第２のスクロールモードを設定しているときに、前記スクロール速度が予め定めたレベルを超えており、かつ、前記フォーカスフレームが前記部分リストの表示上の前記スクロール操作方向側端部のアイテムの位置にある状態が、第２の時間長の期間継続した場合に、前記スクロールモードとして前記第３のスクロールモードを設定し、前記スクロールモードとして前記第３のスクロールモードを設定しているときに、前記スクロール速度が前記予め定めたレベル以下となった場合に、前記第２のスクロールモードを設定することを特徴とするコンピュータプログラム。
【請求項１３】
請求項１２記載のコンピュータプログラムであって、
前記スクロールモード制御部は、前記スクロールモードを前記第３のスクロールモードから前記第２のスクロールモードに切り替え直後の前記フォーカスフレームの位置を、前記部分リストの表示上の前記スクロール操作方向側端部のアイテムの位置とすることを特徴とするコンピュータプログラム。
【請求項１４】
請求項１１記載のコンピュータプログラムであって、
前記スクロールモード制御部は、前記スクロールモードを前記第２のスクロールモードから前記第１のスクロールモードに切り替える際に、前記第２のスクロールモードにおいて最後にフォーカスフレームが位置していたアイテムが、部分リストの中央の位置となるように、前記表示範囲を前記リスト上で移動することを特徴とするコンピュータプログラム。
【請求項１５】
請求項１１記載のコンピュータプログラムであって、
前記スクロール表示装置は、
前記第１のスクロールモードにおいて、前記表示範囲を、当該表示範囲に含まれるアイテムの数が、他のスクロールモードにおいて前記表示範囲に含まれるアイテムの数よりも少なくなるように設定することを特徴とするコンピュータプログラム。
【請求項１６】
スクロール表示装置において、複数のアイテムを配列したリストをスクロール表示するスクロール表示方法であって、
スクロールモードとして第１のスクロールモードが設定されているときに、前記リスト上に複数のアイテムを含むように表示範囲を設定して、前記リストの前記当該表示範囲に含まれる部分である部分リストを表示すると共に、部分リストの表示上の中央のアイテムの位置にフォーカスフレームを固定的に表示し、ユーザのスクロール操作に応じて当該表示範囲を前記リスト上で、ユーザのスクロール操作方向に、ユーザのスクロール操作量に応じたスクロール速度で移動させる第１スクロール表示ステップと、
スクロールモードとして第２のスクロールモードが設定されているときに、前記リスト上に複数のアイテムを含むように表示範囲を設定して、前記リストの前記当該表示範囲に含まれる部分である部分リストを表示すると共に、部分リストの表示上にフォーカスフレームを表示し、ユーザのスクロール操作に応じて、前記フォーカスフレームが前記部分リストの表示上の前記スクロール操作方向側端部のアイテムの位置に無い場合には、前記部分リストの表示上で前記フォーカスフレームをユーザのスクロール操作方向に、ユーザのスクロール操作量に応じたスクロール速度で移動し、前記フォーカスフレームが前記部分リストの表示上の前記スクロール操作方向側端部のアイテムの位置にある場合には、前記表示範囲を前記リスト上で、ユーザのスクロール操作方向に、ユーザのスクロール操作量に応じたスクロール速度で移動させる第２スクロール表示ステップと、
スクロールモードとして、前記第１のスクロールモードと第２のスクロールモードとの一方を選択的に設定するスクロールモード制御ステップとを有し、
前記スクロールモード制御ステップにおいて、前記スクロール表示の開始時に前記スクロールモードとして前記第１のスクロールモードを設定し、前記スクロールモードとして前記第１のスクロールモードを設定しているときに、前記スクロール速度が所定のレベルを超えたときに、前記スクロールモードとして前記第２のスクロールモードを設定し、前記スクロールモードとして前記第２のスクロールモードを設定しているときに、第１の時間長の期間ユーザのスクロール操作入力が無かった場合に、スクロールモードとして前記第１のスクロールモードを設定することを特徴とするスクロール表示方法。
【請求項１７】
請求項１６記載のスクロール表示方法であって、
スクロールモードとして第３のスクロールモードが設定されているときに、前記リスト上に複数のアイテムを含むように表示範囲を設定して、前記リストの前記当該表示範囲に含まれる部分である部分リストを表示すると共に、前記フォーカスフレームを表示しない形態で、ユーザのスクロール操作に応じて当該表示範囲を前記リスト上で、ユーザのスクロール操作方向に、ユーザのスクロール操作量に応じたスクロール速度で移動させる第３スクロール表示ステップを備え、
前記スクロールモード制御ステップにおいて、前記スクロールモードとして前記第２のスクロールモードを設定しているときに、前記スクロール速度が予め定めたレベルを超えており、かつ、前記フォーカスフレームが前記部分リストの表示上の前記スクロール操作方向側端部のアイテムの位置にある状態が、第２の時間長の期間継続した場合に、前記スクロールモードとして前記第３のスクロールモードを設定し、前記スクロールモードとして前記第３のスクロールモードを設定しているときに、前記スクロール速度が前記予め定めたレベル以下となった場合に、前記第２のスクロールモードを設定することを特徴とするスクロール表示方法。
【請求項１８】
請求項１７記載のスクロール表示方法であって、
前記スクロールモード制御ステップにおいて、前記スクロールモードを前記第３のスクロールモードから前記第２のスクロールモードに切り替え直後の前記フォーカスフレームの位置を、前記部分リストの表示上の前記スクロール操作方向側端部のアイテムの位置とすることを特徴とするスクロール表示方法。
【請求項１９】
請求項１６記載のスクロール表示方法であって、
前記スクロールモード制御ステップにおいて、前記スクロールモードを前記第２のスクロールモードから前記第１のスクロールモードに切り替える際に、前記第２のスクロールモードにおいて最後にフォーカスフレームが位置していたアイテムが、部分リストの中央の位置となるように、前記表示範囲を前記リスト上で移動することを特徴とするスクロール表示方法。
【請求項２０】
請求項１６記載のスクロール表示方法であって、
前記第１のスクロールモードにおいて、前記表示範囲を、当該表示範囲に含まれるアイテムの数が、他のスクロールモードにおいて前記表示範囲に含まれるアイテムの数よりも少なくなるように設定することを特徴とするスクロール表示方法。
【発明の詳細な説明】
【技術分野】
【０００１】
本発明は、複数のアイテムを配列したリストをスクロール表示する技術に関するものである。
【背景技術】
【０００２】
複数のアイテムを配列したリストをスクロール表示する技術としては、リスト上に所定数のアイテムを含むように表示範囲を設定して、前記リストの表示範囲に含まれるアイテムよりなる部分リストを表示すると共に、ユーザのスクロール操作に応じて表示範囲を前記リスト上でユーザのスクロール操作方向に移動させる技術が知られている。また、このようなスクロール表示を行う場合に、表示した部分リストの中央に配置されたアイテムをユーザが直ちに選択できる選択候補アイテムとすると共に、部分リストの中央部分に、アイテムを強調するためのフォーカスフレームを配置することにより、当該選択候補アイテムを部分リスト上で提示する技術も知られている（たとえば、特許文献１）。
【０００３】
また、複数のアイテムを配列したリストをスクロール表示する技術としては、リスト上に所定数のアイテムを含むように表示範囲を設定して、前記リストの表示範囲に含まれるアイテムよりなる部分リストを表示すると共に、ユーザのスクロール操作に応じて、リスト上で選択候補アイテムを強調するフォーカスフレームが部分リスト上のスクロール操作方向側の端のアイテムの位置に無い場合には、フォーカスフレームを部分リスト上でスクロール操作方向に移動すると共に、フォーカスフレームがスクロール操作方向側の端のアイテムの位置にある場合には、表示範囲を前記リスト上でユーザのスクロール操作方向に移動させる技術も知られている（たとえば、特許文献２、３）。
【０００４】
また、複数のアイテムを配列したリストをスクロール表示する技術としては、ユーザのスクロール操作が所定時間以上継続した場合に、リストの表示する範囲を定める表示範囲を、当該表示範囲に含まれるアイテム数が増大するように拡大する技術も知られている（たとえば、特許文献４）。
【先行技術文献】
【特許文献】
【０００５】
【特許文献１】特開２００８-０８９８４３号公報
【特許文献２】特開２００２-１４０１４３号公報
【特許文献３】特開２００４-３２６４０２号公報
【特許文献４】特許第３２９１３１１号公報
【発明の概要】
【発明が解決しようとする課題】
【０００６】
フォーカスフレームを部分リスト上で移動するスクロール表示の技術によれば、個々のアイテムの内容を吟味する際には、部分リスト上でフォーカスフレームを移動することになるため、どうしてもユーザの視線移動が必要となるという問題がある。
また、部分リスト上の固定位置にフォーカスフレームを配置するスクロール表示の技術によれば、フォーカスフレームの一方の側に表示できるアイテム数が少ないために、目的とするアイテムを探しながら高速なスクロール表示を行っているときに目的とするアイテムが表示範囲を通過してしまい易く、このような場合には、目的とするアイテムが表示されていない状態となり、目的とするアイテムをフォーカスフレーム位置に直ちに移動させることが容易でなくなる。
【０００７】
そこで、本発明は、スクロール表示の操作性をより向上することを課題とする。
【課題を解決するための手段】
【０００８】
前記課題達成のために本発明は、複数のアイテムを配列したリストをスクロール表示するスクロール表示装置に、スクロールモードとして第１のスクロールモードが設定されているときに、前記リスト上に複数のアイテムを含むように表示範囲を設定して、前記リストの前記当該表示範囲に含まれる部分である部分リストを表示すると共に、部分リストの表示上の中央のアイテムの位置にフォーカスフレームを固定的に表示し、ユーザのスクロール操作に応じて当該表示範囲を前記リスト上で、ユーザのスクロール操作方向に、ユーザのスクロール操作量に応じたスクロール速度で移動させる第１スクロール表示部と、スクロールモードとして第２のスクロールモードが設定されているときに、前記リスト上に複数のアイテムを含むように表示範囲を設定して、前記リストの前記当該表示範囲に含まれる部分である部分リストを表示すると共に、部分リストの表示上にフォーカスフレームを表示し、ユーザのスクロール操作に応じて、前記フォーカスフレームが前記部分リストの表示上の前記スクロール操作方向側端部のアイテムの位置に無い場合には、前記部分リストの表示上で前記フォーカスフレームをユーザのスクロール操作方向に、ユーザのスクロール操作量に応じたスクロール速度で移動し、前記フォーカスフレームが前記部分リストの表示上の前記スクロール操作方向側端部のアイテムの位置にある場合には、前記表示範囲を前記リスト上で、ユーザのスクロール操作方向に、ユーザのスクロール操作量に応じたスクロール速度で移動させる第２スクロール表示部と、スクロールモードとして、前記第１のスクロールモードと第２のスクロールモードとの一方を選択的に設定するスクロールモード制御部とを備え、前記スクロールモード制御部において、前記スクロール表示の開始時に前記スクロールモードとして前記第１のスクロールモードを設定し、前記スクロールモードとして前記第１のスクロールモードを設定しているときに、前記スクロール速度が所定のレベルを超えたときに、前記スクロールモードとして前記第２のスクロールモードを設定し、前記スクロールモードとして前記第２のスクロールモードを設定しているときに、第１の時間長の期間ユーザのスクロール操作入力が無かった場合に、スクロールモードとして前記第１のスクロールモードを設定するようにしたものである。
【０００９】
このようなスクロール表示装置によれば、ユーザは、始めは、第１のスクロールモードにおいて、リストをスクロールさせながら、固定的に配置されるフォーカスフレーム位置に表示される各アイテムの内容を、視点移動することなく吟味することができる。一方、その後、目的とするアイテムを探索するために、ユーザがスクロール速度を大きくすると、第２のスクロールモードが設定され、フォーカスフレームがスクロール方向端部まで移動した後に、リストの標示がスクロールする。ここで、このような第２のスクロールモードによれば、スクロールのし過ぎによって、目的とするアイテムがフォーカスフレームを行き過ぎてしまった場合でも、目的とするアイテムが表示範囲内に含まれている場合には、表示上で当該目的とするアイテムを確認しながら、当該目的とするアイテムの位置まで即座にフォーカスフレームを逆方向に移動して、当該目的とするアイテムを選択することができるようになる。
【００１０】
そして、第２のスクロールモードでは、中央のアイテムの位置にフォーカスフレームが固定される第１のスクロールモードとは異なり、フォーカスフレームがスクロール方向の端部まで移動するので、フォーカスフレームがスクロール方向の端部に位置する状態において、最後に行ったスクロールのスクロール方向と逆方向に表示されるアイテム数は、第１のスクロールモードの場合よりも多くなる。すなわち、第２のスクロールモードによれば、第１のスクロールモードの場合よりも、ユーザが目的とするアイテムの探索中にスクロールをし過ぎた場合でも、目的とするアイテムが表示範囲内に含まれている確率が大きくなる。よって、第２のスクロールモードによれば、より容易に、スクロールをし過ぎた場合でも、目的とするアイテムを選択できるようになる。
【００１１】
ここで、このようなスクロール表示装置は、当該スクロール表示装置に、スクロールモードとして第３のスクロールモードが設定されているときに、前記リスト上に複数のアイテムを含むように表示範囲を設定して、前記リストの前記当該表示範囲に含まれる部分である部分リストを表示すると共に、前記フォーカスフレームを表示しない形態で、ユーザのスクロール操作に応じて当該表示範囲を前記リスト上で、ユーザのスクロール操作方向に、ユーザのスクロール操作量に応じたスクロール速度で移動させる第３スクロール表示部を設けると共に、前記スクロールモード制御部において、前記スクロールモードとして前記第２のスクロールモードを設定しているときに、前記スクロール速度が予め定めたレベルを超えており、かつ、前記フォーカスフレームが前記部分リストの表示上の前記スクロール操作方向側端部のアイテムの位置にある状態が、第２の時間長の期間継続した場合に、前記スクロールモードとして前記第３のスクロールモードを設定し、前記スクロールモードとして前記第３のスクロールモードを設定しているときに、前記スクロール速度が前記予め定めたレベル以下となった場合に、前記第２のスクロールモードを設定するように構成してもよい。また、この場合には、前記スクロールモード制御部は、前記スクロールモードを前記第３のスクロールモードから前記第２のスクロールモードに切り替え直後の前記フォーカスフレームの位置を、前記部分リストの表示上の前記スクロール操作方向側端部のアイテムの位置とすることが好ましい。
【００１２】
また、これらのスクロール表示装置は、前記スクロールモード制御部において、前記スクロールモードを前記第２のスクロールモードから前記第１のスクロールモードに切り替える際に、前記第２のスクロールモードにおいて最後にフォーカスフレームが位置していたアイテムが、部分リストの中央の位置となるように、前記表示範囲を前記リスト上で移動するようにしてもよい。また、これらのスクロール表示装置は、前記第１のスクロールモードにおいて、前記表示範囲を、当該表示範囲に含まれるアイテムの数が、他のスクロールモードにおいて前記表示範囲に含まれるアイテムの数よりも少なくなるように設定するように構成してもよい。
【発明の効果】
【００１３】
以上のように、本発明によれば、スクロール表示の操作性をより向上することができる。
【図面の簡単な説明】
【００１４】
【図１】本発明の実施形態に係るＡＶシステムの構成を示すブロック図である。
【図２】本発明の実施形態に係るＡＶシステムが表示するコントロール画面を示す図である。
【図３】本発明の実施形態に係る固定ＦＦスクロールモードのスクロール動作を示す図である。
【図４】本発明の実施形態に係る移動ＦＦスクロールモードのスクロール動作を示す図である。
【図５】本発明の実施形態に係る無ＦＦスクロールモードのスクロール動作を示す図である。
【図６】本発明の実施形態に係るスクロールモード制御処理を示すフローチャートである。
【図７】本発明の実施形態に係るスクロールモード制御処理の処理例を示す図である。
【図８】本発明の実施形態に係るスクロールモード制御処理の処理例を示す図である。
【図９】本発明の実施形態に係る固定スクロールモードのスクロール動作の他の例を示す図である。
【発明を実施するための形態】
【００１５】
以下、本発明の実施形態を、ＡＶシステムへの適用を例にとり説明する。
図１に、本実施形態に係るＡＶシステムの構成を示す。
図示するように、ＡＶシステムは、ＣＤやＤＶＤなどの記録ディスクの読み取りを行うディスクドライブ１、オーディオファイルやオーディオファイルの管理情報やアートワークを格納したＨＤＤ２、操作部３、制御部４、オーディオデータやビデオデータのデコードを行うＡＶデコーダ５、ＴＶチューナ６、ラジオチューナ７、表示出力処理部８、音声出力処理部９、表示装置１０、スピーカ１１などを備えている。
【００１６】
ただし、このようなＡＶシステムは、コンピュータを用いて構成するようにしてもよく、この場合、制御部４やＡＶデコーダ５や表示出力処理部８や音声出力処理部９は、コンピュータが所定のコンピュータプログラムを実行することにより実現されるものであってよい。
【００１７】
さて、このような構成において、制御部４は、ディスクドライブ１、ＨＤＤ２、ＴＶチューナ６、ラジオチューナ７のいずれを出力ソースとするかの設定をユーザから受け付けると共に、出力ソースが出力する、または、出力ソースにデータが記憶されているオーディオコンテンツやビジュアルコンテンツのスピーカ１１や表示装置１０への出力を制御する。
【００１８】
すなわち、制御部４は、ラジオチューナ７が出力ソースに設定されているときには、音声出力処理部９に、ラジオチューナ７が出力するオーディオをスピーカ１１に出力させる。また、制御部４は、ラジオチューナ７で受信するチャネルを、操作部３を介したユーザ操作に応じて切り替える制御なども行う。
【００１９】
また、制御部４は、ＴＶチューナ６が出力ソースに設定されているときには、音声出力処理部９に、ＴＶチューナ６が出力するオーディオをスピーカ１１に出力させると共に、表示出力処理部８に、ＴＶチューナ６が出力するビデオを表示装置１０に出力させる。また、制御部４は、ＴＶチューナ６で受信するチャネルを、操作部３を介したユーザ操作に応じて切り替える制御なども行う。
【００２０】
また、制御部４は、ディスクドライブ１が出力ソースに設定されているときには、ディスクドライブ１に装着されている記録ディスクに記録されているオーディオデータの再生を制御する。ここで、記録ディスクに記録されているオーディオデータの再生の制御は、再生対象としたオーディオデータをディスクドライブ１を介して記録ディスクから読み出して、読み出したオーディオデータをＡＶデコーダ５でデコードさせると共に、デコードしたオーディオを、音声出力処理部９にスピーカ１１に出力させることにより行う。また、制御部４は、この再生の制御において、操作部３を介したユーザ操作に応じて再生対象とするオーディオデータを切り替えたり、記録ディスクに記録されている各オーディオデータを、順次、または、ランダムに再生対象とする制御なども行う。
【００２１】
そして、制御部４は、ＨＤＤ２が出力ソースに設定されているときには、ＨＤＤ２に記録されているオーディオファイルの再生を制御する。オーディオファイルの再生の制御は、再生対象としたオーディオファイルをＨＤＤ２から読み出して、読み出したオーディオファイルのオーディオデータをＡＶデコーダ５でデコードさせると共に、デコードしたオーディオを、音声出力処理部９にスピーカ１１に出力させることにより行う。また、制御部４は、この再生の制御において、操作部３を介したユーザ操作に応じて再生対象とするオーディオファイルを切り替えたり、ＨＤＤ２に記録されている各オーディオファイルを、オーディオファイルの管理情報に基づいて、オーディオファイルの属性毎に、順次、または、ランダムに再生対象とする制御なども行う。
【００２２】
ここで、オーディオファイルの属性としては、ジャンルやアーティストやアルバムやタイトルといった属性があり、これらの属性値はオーディオファイルに格納されているオーディオデータが表す楽曲に応じて設定されている。そしてオーディオファイルの管理情報において、ＨＤＤ２に記録されている各オーディオファイルの、ジャンルやアーティストやアルバムやタイトルといった属性毎に、各オーディオファイルと各オーディオファイルの他の属性が管理されている。また、オーディオファイルの管理情報は、アルバムとジャケット写真などのアートワークとを関連づける情報も含まれる。
【００２３】
以下、このようなＡＶシステムにおけるスクロール表示動作について、ＨＤＤ２が出力ソースとして設定されているときに行う、ユーザが行うことができるアルバム選択動作を例にとり説明する。
まず、制御部４は、出力ソースとしてＨＤＤ２が設定されたならば、表示出力処理部８を介して表示装置１０に、図２に示すようなコントロール画面を表示する。
図示するように、このコントロール画面のメインメニュー領域２００には、出力ソース切替用メニュー２０１と、音量表示２０２と、その他メニュー呼出用のボタン２０３が設けられており、ユーザは、出力ソース切替用メニュー２０１を用いて出力ソースを切り替えることができる。
【００２４】
また、メインメニュー領域２００の上部の左方には属性切替メニュー領域２１０が、メインメニュー領域２００の上部の右方には選択受付リスト領域２２０が設けられている。
そして、属性切替メニュー領域２１０には、アーティスト、アルバム、ソング（タイトル）、ジャンルの項目よりなる属性切替メニューが表示され、ユーザは、属性切替メニューを用いて、アーティスト、アルバム、ソング（タイトル）、ジャンルのいずれの属性を、再生対象選択のキーとするかを設定することができる。そして、選択受付リスト領域２２０には、オーディオファイルの管理情報に基づいて作成した、再生対象選択のキーとなる属性の属性値のリストが選択受付リストとして（選択受付リスト領域２２０に収まりきらない場合には、その一部である部分リストが）表示される。すなわち、再生対象選択のキーとなる属性が、アーティストであれば、オーディオファイルの管理情報に管理されているアーティストのリストが表示され、再生対象選択のキーとなる属性が、アルバムであれば、オーディオファイルの管理情報に管理されているアルバムのリストが表示され、再生対象選択のキーとなる属性が、ソングであれば、オーディオファイルの管理情報に管理されているタイトルのリストが表示され、再生対象選択のキーとなる属性が、ジャンルであれば、オーディオファイルの管理情報に管理されているジャンルのリストが表示される。
【００２５】
ここで、図２は、属性切替メニューで、アルバムが選択された状態を表しており、この場合、選択受付リストとしては、個々のアルバムの情報を１アイテム２２１とするリストが表示される。また、選択受付リストのアイテム２２１となる各アルバムの情報としては、アルバム名と当該アルバムのアーティスト名と当該アルバムにオーディオファイルの管理情報で関連づけられているアートワークを表示する。
【００２６】
さて、制御部４は、このようにして表示した選択受付リストを、ユーザの操作部３を介したスクロール操作に応じて上下にスクロールする。
本実施形態では、このようなスクロールのモードとして、固定ＦＦスクロールモードと、移動ＦＦスクロールモードと、無ＦＦスクロールモードとを備えている。
固定ＦＦスクロールモードでは、図３ａ１に示すように、選択受付リストのうちの選択受付リスト領域２２０に表示する範囲である表示範囲を５アイテム分とし、表示範囲内の５アイテムよりなる部分リストを表示すると共に、部分リストの中央のアイテム（３番目のアイテム）の位置にフォーカスフレーム３００を固定的に表示する。なお、以下の各図において、部分リスト上の各アイテムの背景となる図形（フレーム）のうちの、一つだけ塗り潰し色の輝度が高められている図形がフォーカスフレーム３００である。
【００２７】
そして、ユーザの順スクロール操作に応じて図３ｂに示した選択受付リスト上で、表示範囲３０１を下方に移動し、ユーザの逆スクロール操作に応じて図３ｂに示した選択受付リスト上で、表示範囲３０１を上方に移動する。そして、この結果、ユーザのスクロール操作に応じて、図３ａ１-ａ５に示すように選択受付リスト領域２２０の選択受付リスト領域２２０の表示は上下にスクロールすることになる。なお、選択受付リスト上で表示範囲３０１を上方に移動すると、選択受付リスト領域２２０の表示は下方に流れ、選択受付リスト上で表示範囲３０１を下方に移動すると、選択受付リスト領域２２０の表示は上方に流れることになる。また、順スクロール操作とは、スクロール操作方向が順方向のスクロール操作を、逆スクロール操作とは、スクロール操作方向が逆方向のスクロール操作を指す。
【００２８】
次に、移動ＦＦスクロールモードは、図４ａ１に示すように、選択受付リストのうちの選択受付リスト領域２２０に表示する範囲である表示範囲を５アイテム分とし、表示範囲内の５アイテムよりなる部分リストを表示すると共に、部分リスト上に移動可能なフォーカスフレーム３００を表示する。
【００２９】
そして、スクロール操作方向が逆スクロール操作に応じて、フォーカスフレーム３００が最上端のアイテムの位置に無い場合には、図４ａ５-ａ１に示すように、部分リスト上でフォーカスフレーム３００を上方に移動し、フォーカスフレーム３００が最上端のアイテムの位置にある場合には（図４ａ１）、図４ｂ２-ｂ１に示すように、フォーカスフレーム３００を最上端のアイテムの位置に維持したまま、表示範囲を選択受付リスト上で上方に移動する。
【００３０】
また、スクロール操作方向が順スクロール操作に応じて、フォーカスフレーム３００が最下端のアイテムの位置に無い場合には、図４ａ１-ａ５に示すように、部分リスト上でフォーカスフレーム３００を下方に移動し、フォーカスフレーム３００が最下端のアイテムの位置にある場合には（図４ａ５）、図４ｃ１-ｃ２に示すように、フォーカスフレーム３００を最下端のアイテムの位置に維持したまま、表示範囲を選択受付リスト上で下方に移動する。
【００３１】
そして、無ＦＦスクロールモードは、固定ＦＦスクロールモードと同様のスクロールモードであるが、図５に示すように、フォーカスフレームは部分リスト上に配置されない。
すなわち、無ＦＦスクロールモードでは、選択受付リストのうちの選択受付リスト領域２２０に表示する範囲である表示範囲を５アイテム分とし、そして、固定ＦＦスクロールモードの場合と同様に、ユーザの順スクロール操作、逆スクロール操作に応じて、選択受付リスト上で、表示範囲を上下に移動する。この結果、ユーザのスクロール操作に応じて、図５ａ１-ａ５に示すように選択受付リスト領域２２０の選択受付リストの表示は上下にスクロールする
さて、ここで、各スクロールモードにおける表示範囲の移動速度（スクロール速度）や、移動ＦＦスクロールモードにおけるフォーカスフレーム３００の移動速度は、ユーザのスクロール操作量の大きさに応じた速度となる。また、各スクロールモードにおける表示範囲の移動方向（スクロール）や、移動ＦＦスクロールモードにおけるフォーカスフレーム３００の移動方向は、ユーザのスクロール操作方向によって定まる。
【００３２】
また、スクロール操作の受付は、ユーザ操作入力に応じて変化する任意の値を受け付けることにより行うことができる。すなわち、たとえば、操作部３にユーザのスクロール操作入力用スイッチとして、ロータリエンコードスイッチを用いる場合には、ロータリエンコードスイッチの回転速度をスクロール操作量、ロータリエンコードスイッチの回転方向をスクロール操作方向とすることができる。また、操作部３にユーザのスクロール操作入力用スイッチとして、中立点への復帰機構を備えた回転操作型スイッチやリニア操作型スイッチを用いる場合には、中立点に対する角度変位や位置変位の大きさをスクロール操作量、当該変位の正負をスクロール方向として用いるようにすることができる。また、操作部３にタッチパネルを備え、タッチパネルのなぞり操作によってスクロール操作を受け付ける場合には、なぞり操作の速度をスクロール操作量、なぞり操作の向きをスクロール方向として用いるようにすることができる。または、操作部３においてポインティングデバイスを用い、ポインティングデバイスのドラッグ操作によって、スクロール操作を受け付ける場合には、ドラッグの移動速度をスクロール操作量、ドラッグの方向をスクロール方向として用いるようにすることができる。
【００３３】
さて、このようにアルバムの情報をアイテムとする選択受付リストを、固定ＦＦスクロールモードまたは移動ＦＦスクロールモードで表示しているときに、操作部３を介してユーザの決定操作が行われたならば、制御部４は、その時点でフォーカスフレーム３００の位置に情報が表示されているアルバムの選択を受け付ける。そして、制御部４は、選択受付リスト領域２２０の選択受付リストの表示を消去し、以降、オーディオファイルの管理情報に従って、選択されたアルバムを属性として持つ各オーディオファイルの順次再生を制御する。
【００３４】
さて、このような構成において、制御部４は、選択受付リスト領域２２０に選択受付リストを表示したならば、図６に示すスクロールモード制御処理を開始し、上述したスクロールモードの切替を制御する。
図示するように、この処理では、まず、スクロールモードを固定ＦＦスクロールモードに設定する（ステップ６０２）。
そして、スクロール操作量に応じて定まるスクロール速度の大きさが、予め定めたしきい値ThA超となるのを監視する（ステップ６０４）。
そして、スクロール速度が、予め定めたしきい値ThA超となったならば、スクロールモードを移動ＦＦスクロールモードに切り替える（ステップ６０６）。但し、このとき、フォーカスフレーム３００（ＦＦ）の初期位置は、部分リストの中央（３番目）のアイテムの位置とする。
【００３５】
次に、スクロール速度が０である状態、すなわち、ユーザがスクロール操作を停止している状態の所定期間ＴＡ（たとえば、２秒）以上の継続の発生（ステップ６０８）と、スクロール速度がしきい値ThA超であって、かつ、フォーカスフレーム３００が部分リストの下端もしくは上端のアイテムの位置にある状態の所定期間ＴＢ（たとえば、２.５秒）以上の継続の発生（ステップ６１０）とを監視する。
【００３６】
そして、スクロール速度が０である状態の所定期間ＴＡ以上の継続が発生したならば（ステップ６０８）、その時点でフォーカスフレーム３００が位置しているアイテムが表示範囲の中央のアイテム（３番目のアイテム）となるように表示範囲を移動した後に（ステップ６１８）、ステップ６０２に戻って固定ＦＦスクロールモードを設定する。
【００３７】
一方、スクロール速度がしきい値ThA超であって、かつ、フォーカスフレーム３００が部分リストの下端もしくは上端のアイテムの位置にある状態の所定期間ＴＢ以上の継続が発生した場合には（ステップ６１０）、無ＦＦスクロールモードを設定し（ステップ６１２）、スクロール速度がしきい値ThA以下となるのを監視する（ステップ６１４）。
【００３８】
そして、スクロール速度がしきい値ThA以下となったならば（ステップ６１４）、移動ＦＦスクロールモードを設定し（ステップ６１８）。ステップ６０８、６１０の監視に戻る。ただし、ステップ６１８では、フォーカスフレーム３００（ＦＦ）の初期位置を部分リストのスクロール操作方向側端部のアイテムの位置とする。すなわち、その時点のスクロール操作が順スクロール操作であればフォーカスフレーム３００（ＦＦ）の初期位置を部分リストの下端のアイテムの位置として、その時点のスクロール操作が逆スクロール操作であればフォーカスフレーム３００（ＦＦ）の初期位置を部分リストの上端のアイテムの位置とする。
【００３９】
以上、制御部４が行うスクロールモード制御処理について説明した。
なお、以上のスクロールモード制御処理は、選択受付リスト領域２２０の選択受付リストの表示の終了と共に終了する。
次に、このようなスクロールモード制御処理の動作例を図７に示す。
図示するように、ユーザが順スクロール操作を開始すると固定ＦＦスクロールモードが設定され、スクロール操作量に応じたスクロール速度で、選択受付リスト領域２２０に表示される選択受付リスト上の表示範囲が下方向に移動する。ここで、この固定スクロールモードにおいて、フォーカスフレーム３００は固定位置に配置されるので、ユーザは、フォーカスフレーム位置に表示されるアイテムをスクロールしながら、視点移動することなく、各アイテムの内容を吟味することができる。
【００４０】
次に、ユーザが目的とするアイテムを探索するために、順スクロール操作のスクロール操作量を増大し、スクロール速度が、時刻T1で、しきい値ThAを超えると、スクロールのモードが移動ＦＦスクロールモードに切り替わり、フォーカスフレーム３００が下方向に移動し、時刻T2でフォーカスフレーム３００が下方向の端部のアイテムの位置まで移動したならば、その後は、選択受付リスト領域２２０に表示される選択受付リスト上の表示範囲が下方向に移動する。ここで、この移動ＦＦスクロールモードにおいて、ユーザはフォーカスフレーム３００が移動している間はその移動方向より、表示範囲が移動している間はフォーカスフレーム３００が上下いずれの端部側に位置しているかより、スクロール速度が高速であっても、そのスクロール方向を認知することができる。
【００４１】
次に、時刻T2でフォーカスフレーム３００がスクロール方向の端部のアイテムの位置まで移動した後、スクロール速度がしきい値ThAを超えている状態のまま期間TBが経過すると、期間TBが経過した時点T3で、無ＦＦスクロールモードが設定され、フォーカスフレーム３００が表示されなくなると共に、選択受付リスト領域２２０に表示される選択受付リストの表示範囲が順スクロール方向に、図８ａ１-ａ２に示すように移動する。
【００４２】
ここで、この無ＦＦスクロールモードにおいて、ユーザは、フォーカスフレーム３００の表示に意識を奪われることなく、選択受付リスト領域２２０の表示を全体的に俯瞰しながら、目的とするアイテムを探すことができるようになる。
次に、ユーザは、無ＦＦスクロールモードにおいて、目的とするアイテム８００を発見し、スクロール速度を緩めると、スクロール速度がThA以下となった時点T4で、図８ａ３に示すように、移動ＦＦスクロールモードが設定され、フォーカスフレーム３００が下方向の端部のアイテムの位置に表示される。
【００４３】
そして、その後、ユーザがスクロール操作を停止するまでに、図８ａ３-ａ４のように選択受付リストの表示範囲が移動し、スクロール操作を停止した時点T5で、図８ａ５に示すように、目的とするアイテム８００が選択受付リスト領域２２０の最も上部に位置している場合には、ユーザは、逆スクロール操作を開始して、図８ａ６-ａ９に示すように、フォーカスフレーム３００を上方に移動し、フォーカスフレーム３００を目的とするアイテムの位置まで移動し、スクロール操作を時刻T6で停止する。
【００４４】
結果、ユーザは、移動ＦＦスクロールモードにおいて、スクロールのし過ぎによって、目的とするアイテムがフォーカスフレーム３００を行き過ぎてしまった場合でも、目的とするアイテムが表示範囲内に含まれている場合には、表示上で当該目的とするアイテムを確認しながら、当該目的とするアイテムの位置まで即座にフォーカスフレーム３００を逆方向に移動して、当該目的とするアイテムを選択することができるようになる。
【００４５】
ここで、固定ＦＦスクロールモードでは、中央のアイテム（３番目）の位置にフォーカスフレーム３００が配置されるため、最後に行ったスクロールのスクロール方向と逆方向に表示されるアイテム数は２となるのに対して、移動ＦＦスクロールモードでは、高速なスクロールを行った場合には、当該スクロールのスクロール方向の端部の位置にフォーカスフレーム３００が配置されるため、最後に行ったスクロールのスクロール方向と逆方向に表示されるアイテム数は４となる。
【００４６】
よって、移動ＦＦスクロールモードによれば、固定ＦＦスクロールモードの場合よりも、スクロールをし過ぎた場合でも、目的とするアイテムが表示範囲内に含まれている確率が大きくなる。よって、移動ＦＦスクロールモードによれば、より容易に、スクロールをし過ぎた場合でも、目的とするアイテムを選択し直すことができるようになる。
【００４７】
なお、図７において、時刻T6でスクロール操作を停止した後、停止状態が期間TA経過したならば、当該経過した時点T7で、スクロールモードは固定ＦＦモードに復帰することになる。
以上、本発明の実施形態について説明した。
ところで、以上の実施形態は、無ＦＦスクロールモードは、これを設けないようにしてもよい。すなわち、この場合には、図６に示したスクロールモード制御処理のステップ６１０、６１２、６１４、６１６を廃して、ステップ６０８において、スクロール速度が０である状態の所定期間ＴＡ以上の継続の発生を待ち、当該継続が発生したならば、ステップ６１８に進む処理としてもよい。
【００４８】
また、以上の実施形態における固定ＦＦスクロールモードでは、部分リストとして表示する選択受付リストの表示範囲を、当該表示範囲に含まれるアイテム数が他のスクロールモードよりも減少するようにし、固定ＦＦスクロールモードにおいて、ユーザが個々のアイテムの吟味をより容易に行えるようにしてもよい。
【００４９】
すなわち、固定ＦＦスクロールモードでは、図９ａ１-ａ５に示すように、選択受付リストのうちの選択受付リスト領域２２０に表示する範囲である表示範囲を３アイテム分とし、表示範囲内の３アイテムよりなる部分リストを表示すると共に、部分リストの中央のアイテム（２番目のアイテム）の位置にフォーカスフレーム３００を固定的に表示するようにしてもよい。このようにした場合にも、ユーザの順スクロール操作に図９ｂに示した選択受付リスト上で、表示範囲９０１を下方に、ユーザの逆スクロール操作に図９ｂに示した選択受付リスト上で、表示範囲９０１を上方に移動する。
【００５０】
また、以上の実施形態は、選択受付リスト領域２２０に表示し、スクロールする選択受付リストをアルバムのリストとした場合を例にとり説明したが、本実施形態は、任意のシステムにおいて、任意のリストを選択受付リストとして適用することができる。
すなわち、選択受付リストとしては、たとえば、図１に示したＡＶシステムにおいては、ジャンル、アーティスト、タイトル、ＴＶチャネル、ラジオチャネルなどのリストを選択受付リストとするようにしても良いし、また、たとえば、ナビゲーションシステムにおいては地点のリストを選択受付リストとするようにしてよい。
【符号の説明】
【００５１】
１…ディスクドライブ、２…ＨＤＤ、３…操作部、４…制御部、５…ＡＶデコーダ、６…ＴＶチューナ、７…ラジオチューナ、８…表示出力処理部、９…音声出力処理部、１０…表示装置、１１…スピーカ、２００…メインメニュー領域、２０１…出力ソース切替用メニュー、２０２…音量表示、２０３…ボタン、２１０…属性切替メニュー領域、２２０…選択受付リスト領域、３００…フォーカスフレーム。
【図１】
2011118805.tif 000003
【図２】
2011118805.tif 000004
【図３】
2011118805.tif 000005
【図４】
2011118805.tif 000006
【図５】
2011118805.tif 000007
【図６】
2011118805.tif 000008
【図７】
2011118805.tif 000009
【図８】
2011118805.tif 000010
【図９】
2011118805.tif 000011